(57)【要約】【課題】焦点距離の調整範囲に影響を与えることや、作業性を悪化させることを抑制しつつ、ホルダへのレンズユニットの固定が強固になるよう改善されたレンズ駆動装置の製造方法を提供する。【解決手段】外周面に雄螺子１３ａが形成された略円筒形のレンズユニット１３と、この雄螺子１３ａに対応する雌螺子１０ａを有し、雌螺子１０ａに雄螺子１３ａを螺合させることにより、レンズユニット１３が固定されるホルダ１０と、レンズユニット１３の光軸方向へホルダ１０を移動させるホルダ移動部材とを備えるレンズ駆動装置の製造方法である。また、螺合させると同時に雄螺子１３ａに接着剤１７を連続的に塗布することにより、螺合と同時にレンズユニット１３とホルダ１０とを接着する螺合接着工程を備える。【選択図】図７
2011069892.tif 000002
【特許請求の範囲】
【請求項１】
外周面に雄螺子が形成された略円筒形のレンズユニットと、
前記雄螺子に対応する雌螺子を有し、該雌螺子に前記雄螺子を螺合させることにより、前記レンズユニットが固定されるホルダと、
前記レンズユニットの光軸方向へ前記ホルダを移動させるホルダ移動部材とを備えるレンズ駆動装置の製造方法において、
前記螺合させると同時に前記雄螺子に接着剤を連続的に塗布することにより、前記螺合と同時に前記レンズユニットと前記ホルダとを接着する螺合接着工程を備えることを特徴とするレンズ駆動装置の製造方法。
【請求項２】
前記雌螺子には前記接着剤の塗布を行うための塗布部が設けられ、
前記塗布部に前記接着剤を連続的に供給することにより前記塗布が行われることを特徴とする請求項１に記載のレンズ駆動装置の製造方法。
【請求項３】
前記塗布部は前記雌螺子に設けられ、前記雄螺子との螺合部分に達する切り欠きにより形成されることを特徴とする請求項２に記載のレンズ駆動装置の製造方法。
【請求項４】
前記塗布部は前記雌螺子と外部とを連絡する貫通孔により形成されることを特徴とする請求項２に記載のレンズ駆動装置の製造方法。
【請求項５】
外周面に雄螺子が形成された略円筒形のレンズユニットと、
前記雄螺子に対応する雌螺子を有し、該雌螺子に前記雄螺子を螺合させることにより、前記レンズユニットが固定されるホルダと、
前記レンズユニットの光軸方向へ前記ホルダを移動させるホルダ移動部材とを備えるレンズ駆動装置において、
前記雌螺子には雄螺子との界面に接着剤を溜める為の切り欠きである切欠部が設けられていることを特徴とするレンズ駆動装置。
【請求項６】
請求項１〜請求項４のいずれか一項に記載のレンズ駆動装置の製造方法により製造されたレンズ駆動装置または請求項５に記載のレンズ駆動装置が用いられていることを特徴とするカメラモジュール。
【請求項７】
請求項６に記載のカメラモジュールが用いられていることを特徴とする携帯電話。
【発明の詳細な説明】
【技術分野】
【０００１】
本発明は、レンズユニットがホルダへ強固に固定されての固定を光軸方向に配設されたレンズ駆動装置の製造方法に関する。また、当該製造方法により製造されたレンズ駆動装置、該レンズ駆動装置を用いたカメラモジュール、携帯電話に関する。
【背景技術】
【０００２】
近年、携帯電話にカメラモジュールが搭載されることが一般化している。かかるカメラモジュールの焦点合わせを手動で行うことは困難であるため、自動合焦機能（オートフォーカス）が必須の機能となっている。このカメラモジュールのオートフォーカスを行うためにレンズ駆動装置が使用されている。一方、携帯電話の薄型化および小型化に伴い、レンズ駆動装置に与えられるスペースを縮小する要請が高まっている。この要請に対応するため、レンズ駆動装置のレンズユニットを駆動させる構造としては、ムービングマグネット型リニア駆動方式を用いた構造が多く採用されている。このムービングマグネット型リニア駆動方式を用いた構造は、一般に、ステッピングモータを用いた構造と比較して、構成を簡略化できるため、レンズ駆動装置の小型化を達成できることが知られている。かかるムービングマグネット型リニア駆動方式を用いたレンズ駆動装置の一例を図１０および図１１に示す。
【０００３】
図１０に示すように、複数の光学レンズ１１１および同光学レンズを保持する鏡筒１１２を備えるレンズユニット１１３は、外周面に磁石１２０が装着されたホルダ１１０に固定されている。一方、ホルダ１１０を径方向において取り囲むとともにカメラモジュール本体に固定されるベース１３０には、磁石１２０に対応する位置にコイル１６０が装着されている。ここで、レンズユニット１１３の外周面、即ち鏡筒１１２の外周面には雄螺子１１３ａが切られているとともに、ホルダ１１０は内周面に雌螺子１１０ａが切られた光軸方向の貫通孔を有している。この雌螺子１１０ａに雄螺子１１３ａを螺合させることによりレンズユニット１１３は、ホルダ１１０に固定される。
【０００４】
レンズユニット１１３の光軸方向において像側にはカバーガラス１０２が備えられており、更に像側にＣＣＤ（Charge Coupled Device）イメージセンサあるいはＣＭＯＳ（Complementary Metal Oxide Semiconductor）イメージセンサからなる撮像素子１０３が基板１３５上に固定されている。従って、物側より入射した光はレンズユニット１１３により集光され、カバーガラス１０２を介して撮像素子１０３上に結像する。
【０００５】
オートフォーカス動作時には、コイル１６０に電流を印加することで生じる電磁駆動力によって、ホルダ１１０に装着された磁石１２０が光軸方向に力を受けることにより、ホルダ１１０がレンズユニット１１３の光軸方向に移動する。
【０００６】
このように、ホルダ１１０はオートフォーカス動作時ごとに移動するのであるから、ホルダ１１０へのレンズユニット１１３の固定は強固であることが求められる。固定位置が変化すれば、焦点位置も変化し、光学性能が低下するためである。しかし、上述のようにホルダ１１０へのレンズユニット１１３の固定は螺合によるものが一般的である。螺子は常に緩む可能性を有するため、螺合のみよる固定は強固な固定であるとは言い難い。特に、ホルダ１１０は繰り返し移動させられる部材であるため、移動の度に振動が加わり、緩みが生じやすく、問題である。
【０００７】
特許文献１には螺合に換えて、嵌合によりホルダへレンズユニットを固定したレンズ駆動装置が提示されている。この発明によると「レンズ支持体の組立てが容易である。(〔００１４〕)」旨、および「レンズバレルやキャリアに従来のようなねじ溝を形成しないので、これらの周壁の肉厚を小さくでき、外径を従来と同じ寸法の設計とした場合には、レンズ径を従来よりも大きくできる。レンズ径を大きくすることにより、レンズの光軸にイメージセンサを設ける場合に画素数の大きなイメージセンサ（面積の大きなイメージセンサ）に対応することができる。(〔００１５〕)」旨、記載されている。
【先行技術文献】
【特許文献】
【０００８】
【特許文献１】特開２００９−０４２４６８号公報
【発明の概要】
【発明が解決しようとする課題】
【０００９】
しかし、上述の効果があるとしても、移動による振動によって嵌合がはずれる可能性は否定できず、螺合を嵌合に置換することによって、強固な固定が可能になると言うことはできない。また、嵌合による固定は大きな衝撃に対して弱いことが問題となる。螺号であれば、一回の衝撃によって完全にはずれてしまう可能性は低いが、嵌合による場合は、一回の衝撃であってもホルダからレンズモジュールが完全にはずれ、脱落してしまう可能性が大きい。また、かかる衝撃はカメラモジュールが携帯電話等の撮影装置に取り付けられた場合、使用者が撮影装置を落下させることなどにより容易に生じうる。
【００１０】
そこで、例えば、図１１（ａ）および（ｂ）に示すように、ホルダ１１０の雌螺子１１０ａ部分の近傍に僅かな段差１１０ｂを設け、接着剤１１７を溜めることによりレンズユニット１１３をホルダ１１０に接着することも考えられる。螺合固定と接着固定とを併用する方法である。しかしこの方法では、接着面が僅かであるため、接着による固定能力に限界が生じる。また図１１（ｂ）のように、僅かにレンズユニット１１３の光軸方向において物側（以下、単に「物側」という）の面にも接着剤１１７が及ぶ方が接着力の点では好ましい。しかし、ホルダ１１０の物側の面はオートフォーカス動作時の物側のストッパーとして機能するため、接着剤１１７が過度に物側にはみ出しホルダ１１０の物側面に広く広がった場合、広がった接着剤による層の厚みによって焦点距離の調整範囲が狭くなり、問題となる。
【００１１】
他の方法として、雄螺子１１３ａに予め接着剤を塗布しておき、その後、雌螺子１１０ａに螺合させることも考えられる。かかる方法によれば、雄螺子１１３ａの表面の全面において雌螺子１１０ａと接着されるため、接着面積は飛躍的に大きくなり、強固に固定することができる。しかし、雄螺子１１３ａの表面に塗布した接着剤が、螺合に伴って、物側に押しやられ、レンズユニット１１３およびホルダ１１０の物側の面に大きくはみ出す可能性があり、上述のように問題となる。また、かかる塗布は作業性も悪く、工程上も問題となる。
【００１２】
本発明は、上記実情に鑑みてなされたものであり、焦点距離の調整範囲に影響を与えることや、作業性を悪化させることを抑制しつつ、ホルダへのレンズユニットの固定が強固になるよう改善されたレンズ駆動装置の製造方法を提供することにある。また、かかる製造方法に適したレンズ駆動装置、同レンズ駆動装置を用いたカメラモジュール、同カメラモジュールを用いた携帯電話を提供することを目的とする。
【課題を解決するための手段】
【００１３】
本発明にかかるレンズ駆動装置の製造方法は、外周面に雄螺子が形成された略円筒形のレンズユニットと、前記雄螺子に対応する雌螺子を有し、該雌螺子に前記雄螺子を螺合させることにより、前記レンズユニットが固定されるホルダと、前記レンズユニットの光軸方向へ前記ホルダを移動させるホルダ移動部材とを備えるレンズ駆動装置の製造方法である。また、前記螺合させると同時に前記雄螺子に接着剤を連続的に塗布することにより、前記螺合と同時に前記レンズユニットと前記ホルダとを接着する螺合接着工程を備えることを特徴とする。
【００１４】
上記構成によると、レンズユニットとホルダとを螺合と同時に接着するため、螺合のみで固定される場合に比して強固に固定される。また、雄螺子に接着剤を塗布するため、接着面積を大きくすることが可能となり、一層固定が強固となる。更に、螺合させると同時に雄螺子に接着剤を連続的に塗布するため、別段の接着剤塗布工程を設ける必要はない。更に、接着剤を連続的に塗布することは、接着剤を連続的に供給することにより可能であり、この接着剤の連続的な供給は、例えばディスペンサ等を用いることにより容易に自動化できる。また、接着剤を連続的に塗布することにより接着剤を雄螺子全体に均一に塗布することが容易となる。
【００１５】
本発明にかかるレンズ駆動装置の製造方法は、前記雌螺子には前記接着剤の塗布を行うための塗布部が設けられ、前記塗布部に前記接着剤を連続的に供給することにより前記塗布が行われることが好ましい。
【００１６】
上記構成によると、雌螺子には接着剤の塗布を行うための塗布部が設けられ、塗布部に接着剤を連続的に供給することにより塗布が行われるため、雌螺子に塗布部を設けること、および接着剤を連続的に供給することによって上述の螺子に接着剤を連続的に塗布することが可能となる。
【００１７】
前記塗布部は前記雌螺子に設けられ、前記雄螺子との螺合部分に達する切り欠きにより形成されることが好ましい。
上記構成によると、塗布部は雌螺子に設けられた切り欠きにより形成されるため、簡単な構成で塗布部が形成できる。従って、コストダウンが容易であるとともに、故障等が生じにくい。また、切り欠きの深さが雄螺子との螺合部分に達するため、雄螺子に確実に接着剤を塗布することができる。また、接着剤を塗布された雄螺子がホルダに設けられた雌ねじにねじこまれることにより、雄螺子と雌ねじの摺接面全体に接着剤をいきわたらせることが可能となり、ホルダとレンズユニットとを強固に接着することができる。
【００１８】
前記塗布部は前記雌螺子と外部とを連絡する貫通孔により形成されることを特徴とすることも好ましい。
上記構成によると、塗布部は雌螺子と外部とを連絡する貫通孔により形成されるため、簡単な構成で塗布部が形成できる。従って、コストダウンが容易であるとともに、故障等が生じにくい。
【００１９】
本発明にかかるレンズ駆動装置は、外周面に雄螺子が形成された略円筒形のレンズユニットと、前記雄螺子に対応する雌螺子を有し、該雌螺子に前記雄螺子を螺合させることにより、前記レンズユニットが固定されるホルダと、前記レンズユニットの光軸方向へ前記ホルダを移動させるホルダ移動部材とを備えるレンズ駆動装置である。また、前記雌螺子には雄螺子との界面に接着剤を溜める為の切り欠きである切欠部が設けられていることを特徴とする。
【００２０】
上記構成によると、雌螺子には雄螺子との間に接着剤を溜める為の切り欠きである切欠部が設けられているため、切欠部に接着剤を溜めることにより、螺合のみで固定する場合に比してレンズユニットをホルダに強固に固定することができる。また、螺合させると同時に切欠部に接着剤を供給すれば、雄螺子に接着剤を連続的に塗布することができるため、雄螺子の広い面積に接着剤を塗布する結果となり、一層固定が強固となる。
【００２１】
本発明のカメラモジュールは、上述のレンズ駆動装置の製造方法により製造されたレンズ駆動装置または上述のレンズ駆動装置が用いられていることを特徴とする。これらレンズ駆動装置はレンズユニットとホルダとを、螺合のみで固定される場合に比して強固に固定されたレンズ駆動装置であるため、精度の高いレンズ駆動装置となりうる。従って、このレンズ駆動装置を搭載したカメラモジュールは、精度の高いカメラモジュールとなりうる。
【００２２】
本発明の携帯電話は、上記カメラモジュールが用いられていることを特徴とする携帯電話である。
上述のカメラモジュールは小型かつ高精度のカメラモジュールとなりうるため、携帯電話に搭載するカメラモジュールとして好適である。
【発明の効果】
【００２３】
本発明によれば、焦点距離の調整範囲に影響を与えることや、作業性を悪化させることを抑制しつつ、ホルダへのレンズユニットの固定が強固になるよう改善されたレンズ駆動装置の製造方法を提供することができる。また、かかる製造方法に適したレンズ駆動装置、同レンズ駆動装置を用いたカメラモジュール、同カメラモジュールを用いた携帯電話を提供することができる。
【図面の簡単な説明】
【００２４】
【図１】本発明にかかる携帯電話の一実施形態について説明する図面であって、携帯電話が閉じた状態を示す模式図である。
【図２】本発明にかかる携帯電話の一実施形態について説明する図面であって、携帯電話が開いた状態を示す模式図であるとともに、（ａ）は内面を示す斜視図であり、（ｂ）は背面を示す斜視図である。
【図３】本発明にかかる携帯電話の一実施形態について説明する図面であって、携帯電話が用いるカメラモジュールの構成を示す模式図である。
【図４】本発明にかかる携帯電話の一実施形態について説明する図面であって、カメラモジュールが用いるレンズ駆動装置の分解斜視図である。
【図５】本発明にかかる携帯電話の一実施形態について説明する図面であって、カバーを外したレンズ駆動装置の斜視図である。
【図６】本発明にかかる携帯電話の一実施形態について説明する図面であって、（ａ）はレンズ駆動装置のホルダの斜視図であり、（ｂ）はホルダの一部拡大図である。
【図７】本発明にかかるレンズ駆動装置の製造方法の一実施形態について説明する図面であって、螺合接着工程の説明図である。
【図８】本発明にかかるレンズ駆動装置の一実施形態について説明する図面であって、（ａ）はレンズモジュールの斜視図であり、（ｂ）はレンズモジュールのレンズユニットとホルダとの接続部分の拡大図である。
【図９】本発明にかかるレンズ駆動装置の他の実施形態について説明する図面であって、（ａ）第２の実施形態におけるホルダの一部拡大図であり、（ｂ）は第２の実施形態レの変形例におけるホルダの一部拡大図である。
【図１０】従来のカメラモジュールについて説明する図面であって、カメラモジュールの断面図である。
【図１１】従来のレンズ駆動装置の一実施形態について説明する図面であって、（ａ）はレンズモジュールの斜視図であり、（ｂ）はレンズモジュールのレンズユニットとホルダとの接続部分の拡大図である。
【発明を実施するための形態】
【００２５】
（第１の実施形態）
以下、本発明の携帯電話を具体化した携帯電話の一実施形態を図面を用いて説明する。図１に示すように、係る携帯電話はヒンジＨを中心に折り畳む構成の携帯電話である。図１は折り畳んだ状態を示す図であり前面にはカメラモジュールの一部であるカバーガラス９が露出している。図２（ａ）は、この携帯電話を開いて表示部８１、操作部８２を前面にした図である。図２（ｂ）は、開いた携帯電話を背面から見た図である。撮影者は、このように携帯電話を開いた状態でカバーガラス９を撮影したい対象に向けて、表示部８１で画像を確認しつつ、操作部８２を操作することによりシャッターを切り、対象物を撮影することができる。
【００２６】
次に、図３を参照して、本実施形態のレンズ駆動装置１をカメラに搭載する場合のカメラモジュールの構成について説明する。
図３に示すように、レンズ駆動装置１のベース３０側には、フィルタ２とイメージセンサ３とが配置されている。ベース３０には、位置検出素子としてホール素子４が配置される。そして、ホール素子４からの信号に基づいて、レンズユニット１３およびホルダ１０を備えたレンズモジュール１ａの位置検出が行われる。
【００２７】
合焦動作時、ＣＰＵ（Central Processing Unit）５は、ドライバ６を制御して、レンズモジュール１ａをホームポジションから予め設定された位置まで光軸方向において物側に移動させる。このとき、ホール素子４からの位置検出信号がＣＰＵ５に入力される。同時に、ＣＰＵ５は、イメージセンサ３から入力される信号を処理して撮像画像のコンストラスト値を取得する。かかる動作を繰り返し、コンストラスト値が最良となるレンズモジュール１ａの位置を合焦位置として取得する。
【００２８】
その後、ＣＰＵ５は、かかる合焦位置まで、レンズモジュール１ａを駆動する。具体的には、ＣＰＵ５は、ホール素子４からの信号をモニタし、ホール素子４からの信号が合焦位置に対応する状態になるまで、レンズモジュール１ａを駆動する。かかる動作により、レンズモジュール１ａが合焦位置に移動する。より具体的にはコイル６０に必要時間電流を印加することで生じる電磁駆動力によって、ホルダ１０に装着された磁石２０が光軸方向に力を受けることにより、ホルダ１０がレンズユニット１３の光軸方向に移動する。従って、コイル６０および磁石２０が、光軸方向へホルダ１０を移動させるホルダ移動部材として機能する。
【００２９】
この合焦動作時において、光軸方向において像側（以下、単に「像側」という。）の移動は、レンズモジュール１ａの像側面、より具体的にはホルダ１０の像側面が、ベース３０に接触する位置が限度となる。一方、物側の移動は、レンズモジュール１ａの物側面、より具体的にはホルダ１０の物側面が、ベース３０に接触する位置が限度となる。つまり、レンズモジュール１ａの移動範囲は、レンズモジュール１ａの像側面および物側面がベース３０に接触に接触する位置によって規定されている。言い換えると、ベース３０がレンズモジュール１ａの移動限度を決めるストッパーとなっている。
【００３０】
次に、分解斜視図である図４および組立て図である図５を参照して、レンズモジュール１ａを駆動するレンズ駆動装置１の全体構成について具体的に説明する。レンズ駆動装置１は、光軸方向に移動可能なレンズモジュール１ａと、レンズモジュール１ａに駆動力を与えるとともに、このレンズ駆動装置１が搭載される機器に固定される固定体１ｂとにより構成されている。このレンズ駆動装置１により、レンズモジュール１ａを光軸方向の移動させることにより、オートフォーカスが実現される。また、本実施形態のレンズ駆動装置１は、光軸方向の平面視において、約８．５ｍｍの正方形に形成されており、レンズ駆動装置１の光軸方向の高さが、約３ｍｍに形成されている。
【００３１】
レンズモジュール１ａは、図３にも示したように、複数の光学レンズ１１およびこの複数の光学レンズ１１を保持する鏡筒１２からなるレンズユニット１３、同レンズユニット１３を保持する樹脂によって形成されたホルダ１０、およびホルダ１０に固定される複数の磁石２０により構成されている。なお、本実施形態の磁石２０は、互いに周方向に一定の距離を介して、レンズユニット１３を径方向において外方（以下、単に「外方」という）より周方向に取り囲むようにホルダ１０に４個固定されている。このホルダ１０は樹脂材料を射出成形することにより形成されている。その際、ホルダ１０を形成するための金型には予め磁石２０が装着されており、射出成型と同時に、ホルダを磁石とが一体的に成形される。かかる製法を用いることにより、磁石２０とホルダ１０とを接着剤にて接合した場合に比して、磁石２０とホルダ１０との接合強度を向上させることができる。また、磁石の取り付け工程が割愛でき、コストダウンにも資する。
【００３２】
このホルダ１０にはともに柱状の２つのシャフトのうち主シャフト５１を挿入する光軸方向の貫通孔である主シャフト孔１５と、副シャフト５２を挿入するための光軸方向の貫通孔である副シャフト孔１６とが備えられている。また、主シャフト５１および副シャフト５２はレンズユニット１３の光軸方向に長手方向を向けて配設されている。そのため、主シャフト孔１５の内周面を主シャフト５１の外周面に摺接させるとともに、副シャフト孔１６の内周面を副シャフト５２の外周面に摺接させた状態でホルダ１０を移動させることにより、レンズモジュール１ａを光軸方向に移動させることができる。
【００３３】
固定体１ｂは、レンズ駆動装置１の外枠を構成するベース３０およびカバー４０と、ベース３０に固定されて、ホルダ１０の光軸方向への移動をガイドする上述の主シャフト５１および副シャフト５２からなるシャフトと、電流が印加されることにより磁場を形成するコイル６０とを備えている。また、コイル６０の径方向の外側には、磁性体の鋼板によって形成された長方形の板状の磁性部材である磁性板７０がベース３０に固定されている。
【００３４】
ベース３０には、レンズ駆動装置１の外枠の下面を構成する基部３１と、基部３１より光軸方向に沿って延設される支柱３２とが設けられている。基部３１は、光軸方向の平面視において、正方形に形成される。また、支柱３２は、基部３１の四隅にそれぞれ設けられている。基部３１の中央位置には、円形の貫通孔である開口部３３が形成されている。
【００３５】
支柱３２のうち、主シャフト５１近傍の支柱の物側面は径方向において内方に延設され、レンズモジュール１ａの像側面が接触することにより、上述のように、物側の移動限度を規定する物側ストッパー３２ａが形成されている。一方、レンズモジュール１ａの像側面が接触することにより像側の移動限度を規定するストッパーはベース３０の像側面を成す基部３１がその機能を果たしている。
【００３６】
図６に示すように、ホルダ１０の雌螺子１０ａには雄螺子１３ａとの界面に接着剤１７を溜める為の切り欠きである切欠部１０ｃが設けられていることを特徴とする。具体的には、切欠部１０ｃは雌螺子１０ａの約１山分を切り欠くことにより形成されている。この切欠部に接着剤を溜めることにより、螺合のみで固定する場合に比してレンズユニット１３をホルダ１０に強固に固定することができる。また、螺合させると同時に切欠部に接着剤を供給すれば、雄螺子１３ａに接着剤を連続的に塗布することができるため、雄螺子１３ａの広い面積に接着剤を塗布する結果となり、一層固定が強固となる。かかる製造方法について、以下詳説する。
【００３７】
本実施形態におけるレンズ駆動装置の製造方法において、雌螺子１０ａに雄螺子１３ａを螺合させると同時に雄螺子１３ａに接着剤を連続的に塗布することにより、螺合と同時にレンズユニット１３とホルダ１０とを接着する螺合接着工程を備えることを特徴としている。即ち、雌螺子１０ａに設けられた切欠部１０ｃを接着剤の塗布を行うための塗布部として用い、この塗布部に接着剤を連続的に供給することにより塗布を行うのである。
【００３８】
具体的には、図７に示すように、液体定量吐出装置であるディスペンサ９０により接着剤１７を切欠部１０ｃに供給しつつ、レンズユニット１３の雄螺子１３ａを矢印に示したように周方向に回転させ、雌螺子１０ａに噛合させてゆく。切欠部１０ｃに溜められた接着剤１７は雄螺子１３ａの周方向への回転に応じて全体に均等に塗布される。切欠部１０ｃ内の接着剤１７が不足することも、逆に接着剤１７が切欠部１０ｃ外に溢れることもないようにディスペンサ９０による接着剤１７の供給速度が、螺合接着工程の全体にわたって調整される。かかる調整は、センサ等で切欠部１０ｃ内の接着剤１７の量を測定しながらフィードバック制御をすることにより行っても良いし、実験等により予め供給速度を測定しておき、かかる測定値に基づいて接着剤を供給することにより行っても良い。かかる制御をすることにより、接着剤１７を過不足なく供給することが可能であるため、接着剤１７が切欠部１０ｃからはみ出し、レンズユニット１３の物側面上に付着したり、ホルダ１０の物側面より物側にはみ出したりすることもない。よって、接着剤１７が物側の移動限度を規定する物側ストッパー３２ａと接触して物側の移動限度を換えてしまうことはない。同様に、接着剤１７が、レンズユニット１３の像側面上に付着したり、ホルダ１０の像側面より像側にはみ出したりすることもない。よって、接着剤１７が像側の移動限度を規定するストッパーとしての基部３１と接触して物側の移動限度を換えてしまうこともない。
【００３９】
かかる製造方法によると別段の接着剤塗布工程を設けなくても雌螺子１０ａに雄螺子１３ａを螺合させる同時に接着が可能であるため、別段の接着工程を設ける必要はない。また、ディスペンサ９０を用いることにより容易に自動化できる。更に、接着剤を連続的に塗布することにより接着剤を雄螺子１３ａ全体に均一に塗布することが容易であるなど、多くの利点を有する。
【００４０】
この製造方法により製造されたレンズ駆動装置は、図８（ａ），（ｂ）に示すように、雄螺子１３ａとの界面に接着剤を溜める為の切り欠きである切欠部１０ｃが雌螺子１０ａに設けられていることを特徴とする。かかる切欠部１０ｃに接着剤１７を溜めることにより、螺合のみで固定する場合に比してレンズユニット１３をホルダ１０に強固に固定することができる。また上述したように、螺合させると同時に切欠部１０ｃに接着剤１７を供給すれば、雄螺子１３ａに接着剤１７を連続的に塗布することができるため、雄螺子１３ａの広い面積に接着剤１７を塗布する結果となり、一層固定が強固となる。
【００４１】
上述したように、本実施形態によれば、以下に示す効果を奏することができる。
（１）本実施形態に示したレンズ駆動装置の製造方法によれば、レンズユニット１３とホルダ１０とを螺合と同時に接着するため、螺合のみで固定される場合に比して強固に固定される。
【００４２】
（２）また、雄螺子１３ａに接着剤１７を塗布するため、接着面積を大きくすることが可能となり、一層固定が強固となる。更に、螺合させると同時に雄螺子１３ａに接着剤１７を連続的に塗布するため、別段の接着剤塗布工程を設ける必要はない。
【００４３】
（３）更に、接着剤１７を連続的に塗布することは、接着剤１７を連続的に供給することにより可能であり、この接着剤１７の連続的な供給は、上述のディスペンサ等を用いることにより容易に自動化できる。また、接着剤１７を連続的に塗布することにより接着剤１７を雄螺子全体に均一に塗布することが容易となる。
【００４４】
（４）また、接着剤１７を連続的に供給するため過剰に供給する必要がなく、接着剤１７が雄螺子１３ａに以外にはみ出すことを防止することができる。そのため、はみ出した接着剤１７が焦点距離の調整範囲に影響を与えることもない。
【００４５】
（５）接着剤１７の連続的な塗布は雌螺子１０ａに着剤の塗布を行うための塗布部を設けることにより容易となっている。
（６）更に、塗布部が雌螺子１０ａに設けられた切り欠きである切欠部１０ｃにより形成されるため、簡単な構成で塗布部が形成できる。従って、塗布部の形成に手間がかからず、コストダウンが容易であるとともに、構造が簡単であるため故障等が生じにくい。
【００４６】
（７）本実施形態に示したレンズ駆動装置は、雌螺子１０ａには雄螺子１３ａとの間に接着剤１７を溜める為の切り欠きである切欠部１０ｃが設けられているため、切欠部１０ｃに接着剤を溜めることにより、螺合のみで固定する場合に比してレンズユニット１３をホルダ１０に強固に固定することができる。また、螺合させると同時に切欠部１０ｃに接着剤１７を供給すれば、雄螺子１３ａに接着剤を連続的に塗布することができるため、雄螺子１３ａの広い面積に接着剤１７を塗布する結果となり、一層固定が強固となる。
【００４７】
（８）本実施形態に示したカメラモジュールは、上述のレンズ駆動装置の製造方法により製造されたレンズ駆動装置または上述のレンズ駆動装置が用いられていることを特徴とする。これらレンズ駆動装置はレンズユニット１３とホルダ１０とを、螺合のみで固定される場合に比して強固に固定されたレンズ駆動装置であるため、精度の高いレンズ駆動装置となりうる。従って、このレンズ駆動装置を搭載したカメラモジュールは、精度の高いカメラモジュールとなりうる。
【００４８】
（９）本実施形態に示した携帯電話は、上記カメラモジュールが用いられていることを特徴とする。かかるカメラモジュールは小型かつ高精度のカメラモジュールとなりうるため、携帯電話に搭載するカメラモジュールとして好適である。
【００４９】
（第２の実施形態）
次に、本発明を具体化した携帯電話の第２の実施形態を図９にしたがって説明する。なお、第２の実施形態は、第１の実施形態のホルダ１０の構造を変更したのみの構成であるため、同様の部分についてはその詳細な説明を省略する。また、必要に応じて他の図も参酌する。
【００５０】
第１の施形態においては、塗布部は、図６に示したように、雌螺子１０ａに設けられた切り欠きである切欠部１０ｃにより形成されるが、本実施形態においては、塗布部は雌螺子１０ａと外部とを連絡する貫通孔１０ｈにより形成されている。具体的には、図９（ａ）に示すように、貫通孔１０ｈは、雌螺子１０ａに開口１０ｈ１を有し、ホルダ１０の物側に開口１０ｈ２を有する貫通孔である。従って、貫通孔１０ｈは、雌螺子１０ａと外部即ちホルダ１０の物側（外部）とを連絡している。
【００５１】
図７に示すように、液体定量吐出装置であるディスペンサ９０により接着剤１７を図７中の切欠部１０ｃに変えて、図９（ａ）に示す開口１０ｈ２に供給しつつ、レンズユニット１３の雄螺子１３ａを矢印に示したように周方向に回転させ、雌螺子１０ａに噛合させてゆく。かかる螺合接着工程により、接着剤１７は雄螺子１３ａの周方向への回転に応じて全体に均等に塗布される。貫通孔１０ｈ内の接着剤１７が不足することも、逆に接着剤１７が貫通孔１０ｈ外に溢れることもないようにディスペンサ９０による接着剤１７の供給速度が、螺合接着工程の全体にわたって調整される。この調整は、センサ等で貫通孔１０ｈ内の接着剤１７の量を測定しながらフィードバック制御により行っても良いし、実験等により予め供給速度を測定しておき、かかる測定値に基づいて接着剤を供給することにより行っても良い。かかる制御をすることにより、接着剤１７を過不足なく供給することが可能であるため、接着剤１７が貫通孔１０ｈの開口１０ｈ１からはみ出し、レンズユニット１３の物側面上に付着したり、ホルダ１０の物側面より物側にはみ出したりすることもない。よって、接着剤１７が過度に物側にはみ出すとともにホルダ１０の物側面に広く広がることにより、接着剤１７による層をホルダ１０の物側面に形成することもない。その結果、接着剤１７による層が物側ストッパー３２ａと接触して物側の移動限度を変えてしまうといった問題を生ずることもない。同様に、接着剤１７が、レンズユニット１３の像側面上に付着したり、ホルダ１０の像側面より像側にはみ出したりすることもない。よって、接着剤１７による層が像側の移動限度を規定するストッパーとしての基部３１と接触して物側の移動限度を変えてしまうこともない。
【００５２】
上記実施形態によれば、第１の実施形態に示した（６）の効果に変えて以下のような効果を得ることができる。また、その他においては、第１の実施形態と同様の効果を得ることができる。
【００５３】
（６）更に、塗布部が雌螺子１０ａと外部とを連絡する貫通孔１０ｈにより形成されているため、簡単な構成で塗布部が形成できる。従って、塗布部の形成に手間がかからず、コストダウンが容易であるとともに、構造が簡単であるため故障等が生じにくい。
【００５４】
なお、上記第１および第２の実施形態は以下のように変更してもよい。
・第１の実施形態において、切欠部１０ｃは雌螺子１０ａの約１山分切り欠かれて形成されているが、他の構成であっても良い。雌螺子１０ａが樹脂で形成されている場合、強度および工作上の要請から、切欠部１０ｃは雌螺子１０ａの約１山分とすることが現実的に望ましいが、例えば雌螺子１０ａが金属で形成されている場合など、強度および工作上の要請が特段になければ１山分に限定されない。強度および工作上の要請以外に、塗布効率等を考慮して合目的的に切り欠きの深さを決定しても良い。
【００５５】
・第２の実施形態において、塗布部は貫通孔１０ｈは、雌螺子１０ａに開口１０ｈ１を有し、ホルダ１０の物側に開口１０ｈ２を有する貫通孔であるが、他の構成であっても良い。例えば、図９（ｂ）に示すように、雌螺子１０ａに開口１０ｈ１を有し、ホルダ１０の外方に開口１０ｈ３を有する貫通孔であっても良い。この場合であっても、塗布部は雌螺子１０ａと外部とを連絡する貫通孔１０ｈにより形成されているため、同一の効果を得ることが可能である。
【００５６】
・上記実施形態において、レンズ駆動装置をオートフォーカス機能の実現のために用いているが、他の構成であっても良い。手動によるフォーカス機能の実現のために適用する他、ズーム機能などレンズモジュールを移動させる必要のあるあらゆる用途に適用可能である。
【００５７】
・上記実施形態においてレンズ駆動装置は、カメラモジュールに搭載したが、他の構成であっても良い。例えば、望遠鏡、顕微鏡、双眼鏡等の他の光学機器に搭載することにより、かかる光学機器にオートフォーカス機能を付加することが可能となる。
【００５８】
・上記実施形態においてカメラモジュールは携帯電話に搭載したが、他の構成であっても良い。コンパクトデジタルカメラ、デジタル一眼レフカメラであってもよいし、銀塩写真用のカメラに搭載しても良い。また、動画撮影用のデジタルビデオカメラやフィルムカメラに搭載しても良い。
【符号の説明】
【００５９】
１…レンズ駆動装置、１ａ…レンズモジュール、１ｂ…固定体、２…フィルタ、３…イメージセンサ、４…ホール素子、５…ＣＰＵ、６…ドライバ、９…カバーガラス、１０…ホルダ、１０ａ…雌螺子、１０ｃ…切欠部（塗布部）、１０ｈ…貫通孔、１０ｈ１…開口、１０ｈ２…開口、１０ｈ３…開口、１１…光学レンズ、１２…鏡筒、１３…レンズユニット、１３ａ…雄螺子、１５…主シャフト孔、１６…副シャフト孔、１７…接着剤、２０…磁石、３０…ベース、３１…基部、３２…支柱、３２ａ…物側ストッパー、３３…開口部、４０…カバー、５１…主シャフト、５２…副シャフト、６０…コイル、７０…磁性板、８１…表示部、８２…操作部、９０…ディスペンサ、１０２…カバーガラス、１０３…撮像素子、１１０…ホルダ、１１０ａ…雌螺子、１１０ｂ…段差、１１１…光学レンズ、１１２…鏡筒、１１３…レンズユニット、１１３ａ…雄螺子、１１７…接着剤、１２０…磁石、１３０…ベース、１３５…基板、１６０…コイル、Ｈ…ヒンジ。
【図１】
2011069892.tif 000003
【図２】
2011069892.tif 000004
【図３】
2011069892.tif 000005
【図４】
2011069892.tif 000006
【図５】
2011069892.tif 000007
【図６】
2011069892.tif 000008
【図７】
2011069892.tif 000009
【図８】
2011069892.tif 000010
【図９】
2011069892.tif 000011
【図１０】
2011069892.tif 000012
【図１１】
2011069892.tif 000013